(57)【要約】【課題】  携帯端末のディスプレイに表示させたテレビ画面と、外部テレビに表示された画面とを、瞬時に交換ができるようにする。【解決手段】携帯端末Ａのテレビチューナー３を制御するチューナー制御部４は、テレビチューナー３に対する制御信号に応じたチャンネル番号を内部テレビチャンネル番号として記憶部７に記憶させ、外部テレビＢが表示しているチャンネル番号を外部テレビチャンネル番号として記憶部７に記憶させる。チューナー制御部４と外部テレビ制御部５に、操作部２から画面交換命令が入力したとき、チューナー制御部４は記憶部７が記憶している外部テレビチャンネル番号に基づいた制御信号を出力するとともに、外部テレビ制御部５は、記憶部７が記憶している内部テレビチャンネル番号に基づいた制御信号を制御信号送信部６から送信させる。【選択図】  図２
2010263330.tif 000002
【特許請求の範囲】
【請求項１】
本体に、ディスプレイと、操作部と、テレビチューナーと、このテレビチューナーを制御するチューナー制御部と、外部テレビから出力されたチャンネル信号を受信するチャンネル信号受信部と、外部テレビから受信したチャンネル信号に基づいてチャンネル番号を特定する一方、チャンネル番号に応じた制御信号を出力する外部テレビ制御部と、外部テレビ制御部から出力された制御信号を外部テレビに送信する制御信号送信部と、外部テレビ制御部が上記特定したチャンネル番号を外部テレビチャンネル番号として記憶するとともに、上記チューナー制御部からテレビチューナーに出力された制御信号に応じたチャンネル番号を内部テレビチャンネル番号として記憶する記憶部とを備え、上記チューナー制御部と外部テレビ制御部とに、上記操作部から画面交換命令が入力したとき、上記チューナー制御部は、上記記憶部が記憶している外部テレビチャンネル番号に基づいた制御信号をテレビチューナーに対して出力するとともに、上記外部テレビ制御部は、上記記憶部が記憶している内部テレビチャンネル番号に基づいた制御信号を制御信号送信部から外部テレビに送信させる携帯端末。
【請求項２】
上記テレビチューナーは、上記チューナー制御部からの制御信号に基づいてディスプレイに映像を表示させながら、その映像の一部を録画する機能を備えるとともに、上記チューナー制御部の制御信号に基づいて映像を録画する外部チャンネル録画チューナーと、上記テレビチューナーが録画した映像を内部テレビチャンネル映像として記憶し、かつ、上記外部チャンネル録画チューナーによって録画された映像を外部テレビチャンネル映像として記憶する映像記憶部とを備え、上記チューナー制御部は、上記操作部から入力された画面交換命令に基づいて、上記外部テレビ制御部が外部テレビを制御するタイミングに対応する外部テレビのタイムコードを取得する機能と、上記取得した外部テレビのタイムコードに対応する時点からの映像を表示させるための制御信号を上記テレビチューナーに対して出力する機能とを備え、上記テレビチューナーは、上記入力された外部テレビのタイムコードが、上記映像記憶部が記憶している外部テレビチャンネル映像の最新のタイムコードより遅れていた場合には、上記外部テレビチャンネル映像を上記外部テレビのタイムコードから再生する機能を備えた請求項１に記載の携帯端末。
【請求項３】
本体に、ディスプレイと、操作部と、テレビチューナーと、このテレビチューナーを制御するチューナー制御部と、チャンネル番号に応じた制御信号を出力する外部テレビ制御部と、外部テレビ制御部から出力された制御信号を外部テレビに送信する制御信号送信部と、上記チャンネル番号を外部テレビチャンネル番号として記憶するとともに、上記チューナー制御部からテレビチューナーに出力された制御信号に応じたチャンネル番号を内部テレビチャンネル番号として記憶する記憶部とを備え、上記チューナー制御部と外部テレビ制御部とに、上記操作部から画面交換命令が入力したとき、上記チューナー制御部は、上記記憶部が記憶している外部テレビチャンネル番号に基づいた制御信号をテレビチューナーに対して出力するとともに、上記外部テレビ制御部は、上記記憶部が記憶している内部テレビチャンネル番号に基づいた制御信号を制御信号送信部から外部テレビに送信させる携帯端末。
【発明の詳細な説明】
【技術分野】
【０００１】
この発明は、本体にテレビ機能を内蔵した携帯端末に関する。
【背景技術】
【０００２】
携帯電話機など、テレビ機能を内蔵した携帯端末が普及している。このような携帯端末は、ユーザーがいつでもどこでも、見たい番組を視聴できる点で便利である。
一方、現状のテレビでは、画面を分割して複数の番組映像を表示する機能を備えたものもあるが、裏番組の音声を同時に聞くことはできない。
そこで、２つの番組を同時に視聴するために、家庭や職場などに設置された外部テレビに特定の番組を表示させながら、その裏番組を携帯端末に表示させて、どちらの番組も同時に視聴することがある。
そして、携帯端末と外部テレビの２台のテレビを同時に利用する場合には、大画面で見たい番組を外部テレビに映し、小画面でも足りる番組を携帯端末で見るようにすることが多い。
【先行技術文献】
【特許文献】
【０００３】
【特許文献１】特開２００８−３０６２５３号公報
【発明の概要】
【発明が解決しようとする課題】
【０００４】
上記のように携帯端末と外部テレビとを使い分けたとしても、番組中に、携帯端末側で見ている番組を大画面で見たくなったり、ほかの人にも見せたくなったりすることもある。
このようなときには、外部テレビのチャンネルを切り替えるとともに、携帯端末のチャンネルも切り替えなければならない。しかし、外部テレビのチャンネルを変更し、携帯端末のチャンネルを変更するためには、各テレビに対し、別々の操作が必要である。そのため、両テレビのチャンネル切り替えが終了し、画面が入れ替わるまでに番組が進んでしまい、見たい部分を見損なってしまうことがあった。
この発明の目的は、携帯端末のディスプレイに表示させたテレビ画面と、外部テレビに表示された画面とを、瞬時に交換できる携帯端末を提供することである。
【課題を解決するための手段】
【０００５】
第１の発明は、本体に、ディスプレイと、操作部と、テレビチューナーと、このテレビチューナーを制御するチューナー制御部と、外部テレビから出力されたチャンネル信号を受信するチャンネル信号受信部と、外部テレビから受信したチャンネル信号に基づいてチャンネル番号を特定する一方、チャンネル番号に応じた制御信号を出力する外部テレビ制御部と、外部テレビ制御部から出力された制御信号を外部テレビに送信する制御信号送信部と、外部テレビ制御部が上記特定したチャンネル番号を外部テレビチャンネル番号として記憶するとともに、上記チューナー制御部からテレビチューナーに出力された制御信号に応じたチャンネル番号を内部テレビチャンネル番号として記憶する記憶部とを備え、上記チューナー制御部と外部テレビ制御部とに、上記操作部から画面交換命令が入力したとき、上記チューナー制御部は、上記記憶部が記憶している外部テレビチャンネル番号に基づいた制御信号をテレビチューナーに対して出力するとともに、上記外部テレビ制御部は、上記記憶部が記憶している内部テレビチャンネル番号に基づいた制御信号を制御信号送信部から外部テレビに送信させる点に特徴を有する。
【０００６】
第２の発明は、第１の発明を前提とし、上記テレビチューナーは、上記チューナー制御部からの制御信号に基づいてディスプレイに映像を表示させながら、その映像の一部を録画する機能を備えるとともに、上記チューナー制御部の制御信号に基づいて映像を録画する外部チャンネル録画チューナーと、上記テレビチューナーが録画した映像を内部テレビチャンネル映像として記憶し、かつ、上記外部チャンネル録画チューナーによって録画された映像を外部テレビチャンネル映像として記憶する映像記憶部とを備え、上記チューナー制御部は、上記操作部から入力された画面交換命令に基づいて、上記外部テレビ制御部が外部テレビを制御するタイミングに対応する外部テレビのタイムコードを取得する機能と、上記取得した外部テレビのタイムコードに対応する時点からの映像を表示させるための制御信号を上記テレビチューナーに対して出力する機能とを備え、上記テレビチューナーは、上記入力された外部テレビのタイムコードが、上記映像記憶部が記憶している外部テレビチャンネル映像の最新のタイムコードより遅れていた場合には、上記外部テレビチャンネル映像を上記外部テレビのタイムコードから再生する機能を備えた点に特徴を有する。
【０００７】
第３の発明は、本体に、ディスプレイと、操作部と、テレビチューナーと、このテレビチューナーを制御するチューナー制御部と、チャンネル番号に応じた制御信号を出力する外部テレビ制御部と、外部テレビ制御部から出力された制御信号を外部テレビに送信する制御信号送信部と、上記チャンネル番号を外部テレビチャンネル番号として記憶するとともに、上記チューナー制御部からテレビチューナーに出力された制御信号に応じたチャンネル番号を内部テレビチャンネル番号として記憶する記憶部とを備え、上記チューナー制御部と外部テレビ制御部とに、上記操作部から画面交換命令が入力したとき、上記チューナー制御部は、上記記憶部が記憶している外部テレビチャンネル番号に基づいた制御信号をテレビチューナーに対して出力するとともに、上記外部テレビ制御部は、上記記憶部が記憶している内部テレビチャンネル番号に基づいた制御信号を制御信号送信部から外部テレビに送信させる点に特徴を有する。
【発明の効果】
【０００８】
第１〜第３の発明によれば、画面交換信号を入力すると、携帯端末と外部テレビのチャンネルが同時に切り替わり、画面を瞬時に交換することができる。
そのため、チャンネルの切り替え時に、どちらの番組も見損なうようなことがない。
第１の発明によれば、外部テレビがチャンネル信号を発信する機能を備えていれば、画面交換時以外のチャンネル制御が、携帯端末以外の装置で行なわれたとしても、画面交換が可能である。
特に、第２の発明によれば、外部テレビの表示映像が、携帯端末の表示映像に比べて遅れている場合にも、交換前に外部テレビに表示されたいた映像に連続する映像を携帯端末に表示させることができる。
第３の発明は、携帯端末から送信される制御信号を受け付けさえすれば、どのような外部テレビにも対応できる。
【図面の簡単な説明】
【０００９】
【図１】第１実施形態の模式図である。
【図２】第１実施形態の携帯端末の構成図である。
【図３】第２実施形態の携帯端末の構成図である。
【図４】第３実施形態の携帯端末の構成図である。
【発明を実施するための形態】
【００１０】
図１、図２に示す第１実施形態は、本願第３の発明におけるテレビ機能を内蔵した携帯端末Ａで、外部テレビＢを制御するものである。携帯端末Ａは、テレビ機能を内蔵し、携帯可能な端末であるが、例えば、ワンセグチューナー内蔵の携帯電話機などで、ダイヤルキーなどの操作部２によって、内蔵テレビを制御するものである。また、後で詳しく説明するが、この携帯端末Ａは、外部テレビＢを制御するためのリモコン機能も備えている。
なお、外部テレビＢは、携帯端末Ａから発信される制御信号によってチャンネルの切り替えが可能なテレビである。
【００１１】
図２に示す第１実施形態の携帯端末Ａは、本体に、上記ディスプレイ１及び操作部２とを備えるとともに、操作部２に接続したチューナー制御部４と、このチューナー制御部４で制御されるとともに、上記ディスプレイ１に表示させるための放送を受信するテレビチューナー３とを備えている。これら、ディスプレイ１、テレビチューナー３、チューナー制御部４及び操作部２が、携帯端末Ａの内部テレビ機能を構成している。
また、上記操作部２に接続し、外部テレビＢのチャンネル制御のための制御信号を出力する外部テレビ制御部５と、この外部テレビ制御部５から出力される制御信号を外部テレビＢに対して発信する制御信号送信部６を備えている。
さらに、上記チューナー制御部４及び外部テレビ制御部５に接続した記憶部７を備えている。
【００１２】
上記チューナー制御部４は、操作部２から内部テレビ用のチャンネル選択信号が入力されると、その選択信号に応じた放送を受信させるための制御信号をテレビチューナー３に対して出力するとともに、上記選択信号に応じたチャンネルを内部テレビチャンネル番号として上記記憶部７に記憶させる機能を備えている。
一方、上記外部テレビ制御部５は、操作部２から外部テレビ用のチャンネル選択信号が入力されると、その選択信号に応じた放送を外部テレビＢに表示させるための外部テレビ用の制御信号を制御信号送信部６に対して出力するとともに、上記選択信号に応じたチャンネル番号を外部テレビチャンネル番号として上記記憶部７に記憶させる機能を備えている。
【００１３】
また、操作部２は、内部テレビの画面と外部テレビの画面とを交換するために、上記チューナー制御部４及び外部テレビ制御部５に対して同時に、画面交換命令を入力する機能を備えている。
そして、上記チューナー制御部４は、操作部２から画面交換命令が入力されたとき、上記記憶部７が記憶している外部テレビチャンネル番号を取得し、この外部テレビチャンネル番号に基づいた制御信号をテレビチューナー３に対して出力する機能を備えている。
また、上記外部テレビ制御部５は、操作部２から画面交換命令が入力されたとき、上記記憶部７が記憶している内部テレビチャンネル番号を取得し、この内部テレビチャンネル番号に基づいた制御信号を制御信号送信部６に対して出力する機能を備えている。
【００１４】
次に、上記第１実施形態の携帯端末Ａを用いて、携帯端末Ａのディスプレイ１に表示している画面と、外部テレビＢに表示している画面とを交換する手順を具体的に説明する。
まず、ユーザーが操作部２を操作して、ディスプレイ１にチャンネル番号（Ｃｈ−Ａ）の番組を表示させるための信号を入力すると、チューナー制御部４は、上記チャンネル番号（Ｃｈ−Ａ）に応じた制御信号をチューナー制御部４に出力するとともに、記憶部７に内部テレビチャンネル番号としてチャンネル番号（Ｃｈ−Ａ）を記憶させる。この処理によって、ディスプレイ１には、チャンネル番号（Ｃｈ−Ａ）の画面が表示され、記憶部７には、内部テレビチャンネル番号としてチャンネル番号（Ｃｈ−Ａ）が記憶される。つまり、ディスプレイ１に表示されている画面に対応したチャンネル番号（Ｃｈ−Ａ）が、内部テレビチャンネル番号として記憶部７に記憶される。
【００１５】
また、ユーザーが操作部２を操作して、外部テレビＢにチャンネル番号（Ｃｈ−Ｂ）の画面を表示させるための信号を入力すると、外部テレビ制御部５が、上記チャンネル番号（Ｃｈ−Ｂ）に応じた制御信号を制御信号送信部６に出力するとともに、記憶部７に外部テレビチャンネル番号としてチャンネル番号（Ｃｈ−Ｂ）を記憶させる。そして、上記制御信号送信部６が、上記制御信号を外部テレビＢに対し送信する。以上の処理によって、記憶部７には、外部テレビチャンネル番号としてチャンネル番号（Ｃｈ−Ｂ）が記憶され、外部テレビＢには、チャンネル番号（Ｃｈ−Ｂ）の画面が表示される。
【００１６】
このように、記憶部７に内部テレビチャンネル番号と外部テレビチャンネル番号とが記憶された状態で、操作部２を介して画面交換命令が上記チューナー制御部４及び外部テレビ制御部５に同時に入力されると、上記したとおりに、チューナー制御部４が記憶部７から外部テレビチャンネル番号（Ｃｈ−Ｂ）を取得し、外部テレビ制御部５が記憶部７から内部テレビチャンネル番号（Ｃｈ−Ａ）を取得する。そして、上記各制御部４，５は、それぞれ、記憶部７から取得したチャンネル番号に応じた制御信号を出力する。
【００１７】
これにより、ディスプレイ１には、画面交換命令の入力前には外部テレビＢに表示されていた外部テレビチャンネル番号（Ｃｈ−Ｂ）の画面が表示され、外部テレビＢには、画面交換命令の入力前には携帯端末Ａのディスプレイ１に表示されていた内部テレビチャンネル番号（Ｃｈ−Ａ）の画面が表示されることになる。
つまり、画面交換命令の入力によって、携帯端末Ａの画面と外部テレビＢの画面とを瞬時に交換することができる。
【００１８】
なお、上記チューナー制御部４及び外部テレビ制御部５は、画面交換とは別に、操作部２を介して個別にチャンネル選択信号が入力されたときに、その選択信号に応じた制御信号を出力するタイミングに、対応するチャンネル番号を記憶部７に記憶させるが、画面交換命令に基づいて制御信号を出力する際にも、出力する制御信号に対応したチャンネル番号を、それぞれ内部テレビチャンネル番号、外部テレビチャンネル番号として、記憶部７に記憶させる。
【００１９】
つまり、画面交換を実行すると、記憶部７が記憶している内部テレビチャンネル番号と外部テレビチャンネル番号とが、交換されることになる。その結果、画面が切り替えられたときにも、その時点でディスプレイ１に表示されている画面のチャンネル番号が内部テレビチャンネル番号となり、外部テレビＢに表示されている画面のチャンネル番号が外部テレビチャンネル番号として記憶部７に記憶されることになる。
従って、これらのチャンネル番号に基づいて、いつでも画面交換を実行することができる。
【００２０】
図３に示す第２実施形態の携帯端末Ａは、本願第１の発明の携帯端末であり、上記図２に示した第１実施形態の構成要素のほかに、外部テレビ制御部５に接続したチャンネル信号受信部８を備えている。
このチャンネル信号受信部８は、外部テレビＢが画面に表示中のチャンネル番号を特定するためのチャンネル信号を、外部テレビＢから受信する機能を備えている。
従って、この第２実施形態の携帯端末Ａで制御する外部テレビＢには、自身が表示中のチャンネルを特定するチャンネル信号を発信する機能が必要である。このチャンネル信号は、上記携帯端末Ａからの要求に応じて発信されるものでもよいし、上記外部テレビＢ側が所定のタイミングで発信するようにしたものでもよい。例えば、外部テレビＢのチャンネルが切り替わったときに、チャンネル信号を発信するようにしてもよい。
そして、この第２実施形態の外部テレビ制御部５は、上記第１実施形態の外部テレビ制御部５と異なる機能を備えているが、その他、上記第１実施形態と同様の構成要素は、第１実施形態と同様の機能を備えている。
【００２１】
以下には、この第２実施形態が、上記第１実施形態と異なる点を中心に説明するが、初めに、第１実施形態と同じ機能についても簡単に説明する。
この第２実施形態の携帯端末Ａも、操作部２からの選択信号によって、内部テレビのディスプレイ１に表示させるチャンネルを選択することができる。そして、操作部２からチャンネル選択信号が入力されると、チューナー制御部４が、この選択信号に対応するチャンネルに基づいた制御信号をテレビチューナー３に出力するとともに、上記チャンネル番号を内部テレビチャンネル番号として記憶部７に記憶させる機能を備えている。
また、外部テレビ制御部５は、操作部２からの信号に基づいて、外部テレビのチャンネルを制御するための制御信号を、制御信号送信部６を介して出力する機能を備え、この制御信号に基づいて外部テレビＢのチャンネルを制御することができる。
【００２２】
ただし、第２実施形態の外部テレビ制御部５は、上記チャンネル信号受信部８を介して外部テレビからチャンネル信号を受信する機能を備えている。そして、上記外部テレビ制御部５は、上記受信したチャンネル信号に基づいて、チャンネル番号を特定し、そのチャンネル番号を外部テレビチャンネル番号として、上記記憶部７に記憶させる機能を備えている。このとき、記憶部７に記憶される外部テレビチャンネル番号は、その時点で外部テレビＢが表示しているチャンネルである。
つまり、この第２実施形態では、外部テレビＢが表示している外部テレビチャンネル番号を、外部テレビＢから受信したチャンネル信号によって特定する点が特徴である。
【００２３】
このような携帯端末Ａによって、上記ディスプレイ１に表示された画面と、外部テレビＢに表示されている画面とを交換する手順を説明する。
なお、操作部２は、内部テレビの画面と外部テレビの画面とを交換するために、上記チューナー制御部４及び外部テレビ制御部５に対して同時に、画面交換命令を入力する機能を備えている。
【００２４】
ユーザーが上記操作部２を操作して画面交換命令が入力されると、外部テレビ制御部５は、上記チャンネル信号受信部８を介して外部テレビＢからチャンネル信号を受信し、このチャンネル信号に基づいてチャンネル番号を特定する。そして、特定したチャンネル番号、例えばチャンネル番号（Ｃｈ−Ｂ）を外部テレビチャンネル番号として記憶部７に記憶させる。
それから、外部テレビ制御部５は、記憶部７が記憶している内部テレビチャンネル番号、例えばチャンネル番号（Ｃｈ−Ａ）を取り込み、この内部テレビチャンネル番号（Ｃｈ−Ａ）に基づいた制御信号を制御信号送信部６に対して出力する。これにより、外部テレビＢが、上記内部テレビチャンネル番号（Ｃｈ−Ａ）に対応した画面に切り替わる。
【００２５】
一方、チューナー制御部４は、画面交換命令が入力されたら、記憶部７から外部テレビチャンネル番号（Ｃｈ−Ｂ）を取得して、このチャンネル番号（Ｃｈ−Ｂ）に基づいた制御信号をテレビチューナー３に対して出力する。これにより、ディスプレイ１には、上記外部テレビチャンネル番号（Ｃｈ−Ｂ）に対応した画面が表示されることになる。
結果として、携帯端末Ａのディスプレイ１の画面と、外部テレビＢの画面とが交換される。
この実施形態でも、上記チューナー制御部４が外部テレビチャンネル番号を取得して、テレビチューナー３を制御するタイミングと、外部テレビ制御部５が内部テレビチャンネル番号を取得して制御信号を発信するタイミングとを同時にできるので、瞬時に画面交換ができることになる。
【００２６】
この第２実施形態においては、外部テレビ制御部５が、上記画面交換命令が入力されたときに、外部テレビＢからチャンネル信号を受信して記憶部７に、外部テレビチャンネル番号を記憶させるようにしている。つまり、上記外部テレビ制御部５が、上記画面交換命令が入力されたタイミングで外部テレビＢのチャンネル信号を取り込むようにしている。
ただし、外部テレビＢのチャンネルが切り替えられたときに、チャンネル信号を出力するようにして、携帯端末Ａ側では、上記外部テレビ制御部５がチャンネル信号受信部８を介して常時、チャンネル信号を受信できるようにしておいてもよい。この場合にも、外部テレビ制御部５は、受信したチャンネル信号に基づいてチャンネル番号を特定したら、それを外部チャンネル番号として記憶部７に記憶させる。
【００２７】
いずれにしても、外部テレビ制御部５は、チャンネル信号を受信したら、チャンネル番号を特定し、そのつど、記憶部７の外部チャンネル番号を更新するようにする。
このようにすれば、上記チューナー制御部４は、画面交換命令が入力されたタイミングで、上記記憶部７から外部テレビチャンネル番号を取得して画面を切り替えることができる。
この第２実施形態では、外部テレビＢが表示しているチャンネル番号を、外部テレビＢからのチャンネル信号によって特定するようにしているので、外部テレビＢのチャンネル制御を携帯端末Ａで行なわなくても、携帯端末Ａは外部テレビチャンネル番号を特定することができる。従って、画面交換時以外における外部テレビＢのチャンネル制御を、携帯端末Ａ以外のリモコンなどで行なっても、携帯端末Ａと外部テレビＢの画面交換をすることができる。
【００２８】
図４に示す第３実施形態は、図３に示した第２実施形態と同様に、外部テレビＢからチャンネル信号を取得し、このチャンネル信号に基づいて外部チャンネル番号を特定するシステムであるが、この実施形態の携帯端末Ａは本願第２の発明の携帯端末である。
そして、この第３実施形態では、外部テレビＢが、チャンネルを切り替えられたときに、切り替えられたチャンネル番号を特定するためのチャンネル信号を発信し、携帯端末Ａの外部テレビ制御部５が、上記チャンネル信号を上記チャンネル信号受信部８を介して受信するものとする。そのため、上記記憶部７には、いつでも外部テレビＢのチャンネル番号が外部テレビチャンネル番号として記憶される。なお、画面交換時以外における外部テレビＢのチャンネル制御は、携帯端末Ａ以外のリモコンなどで行なっても、携帯端末Ａが上記外部テレビチャンネル番号を特定できる点は、上記第２実施形態と同じである。
【００２９】
なお、外部テレビ制御部５が外部テレビＢから上記チャンネル信号を取得するタイミングは、上記のように、外部テレビＢ側がチャンネル信号を発信したときのほか、上記第２実施形態で説明したように、外部テレビ制御部５に画面交換命令が入力されたときに受信するようにしてもよい。外部テレビＢのチャンネルが切り替えられたとき、外部テレビ制御部５が、そのチャンネル番号を特定できるようになっていればよい。
また、上記チューナー制御部４と外部テレビ制御部５とが、個別に、ディスプレイ１や外部テレビＢのチャンネルを制御する機能及び手順は、上記第２実施形態と同じである。
【００３０】
ただし、この第３実施形態は、携帯端末Ａのテレビチューナー３に比べて外部テレビＢのチューナーが受信した放送データを表示させるための処理に時間がかかる場合にも対応できる点を特徴とする。上記携帯端末Ａのテレビチューナー３に比べて外部テレビＢ側のチューナーの方が、画面表示のための処理に時間がかかるということは、両テレビで同じ番組を受信した場合に、携帯端末Ａの方が外部テレビＢよりも少し先の映像を表示しているということである。
【００３１】
このように、外部テレビＢの表示が遅れている状況で、上記第２実施形態のように画面交換命令に基づいて、内部テレビと外部テレビとのチャンネルを同時に切り替えると、外部テレビＢに表示されていたチャンネルの映像が、携帯端末Ａのディスプレイ１に表示されたときには少し先に進んでいて、ディスプレイ１の表示が外部テレビＢの表示と連続しないことになる。その結果、上記外部テレビＢ側の処理の遅れ分だけ、番組を見損なってしまうことになる。第３実施形態では、このうように外部テレビＢ側の表示が遅れる場合にも、切り替え時の見損ないが起こらずに、画面交換ができるようにしている。
【００３２】
そのため、この第３実施形態の携帯端末Ａは、図３に示す上記第２実施形態と同様の構成要素のほかに、外部チャンネル録画チューナー９と映像記憶部１０とを備えている。
上記外部チャンネル録画チューナー９は、チューナー制御部４によって制御され、上記外部テレビＢが表示している外部チャンネル番号に対応した番組映像を録画する機能を備えている。この外部チャンネル録画チューナーに対して、上記チューナー制御部４は、記憶部７が記憶している外部テレビチャンネルの映像を録画させるための制御信号を出力する。そして、上記外部チャンネル録画チューナー９は、録画した映像を外部テレビチャンネル映像として上記映像記憶部１０に記憶させる。ただし、外部チャンネル録画チューナー９が録画するのは、携帯端末Ａ側に対して外部テレビＢの表示が遅れる分に相当する分のデータでよい。このような処理の遅れは、通常、数秒なので、例えば現時点から５，６秒間さかのぼった分の映像が上記映像記憶部１０に記憶されるように、古い映像を削除しながら、最新の映像を追加して記憶させるようにする。
【００３３】
また、この第３実施形態では、携帯端末Ａのチューナー制御部４が、外部テレビＢに表示されている映像のタイムコードを取得する機能を備えている。このタイムコードとは、外部テレビＢが、その映像を表示すべき時刻を特定するデータで、テレビ番組の映像とともにチューナーが受信するものである。このようなタイムコードを、上記チューナー制御部４は、操作部２から画面交換命令が入力され、この画面交換命令に基づいて外部テレビＢのチャンネルが切り替わるタイミングで取得するようにしている。
【００３４】
具体的には、外部テレビ制御部５が、上記画面交換命令に基づいて記憶部７から取得した内部テレビチャンネル番号に応じた制御信号を出力するとともに、外部テレビＢからその時点の映像に対応したタイムコードを、上記チャンネル信号受信部８を介して受信する。そして、外部テレビ制御部５は、受信した外部テレビのタイムコードを上記記憶部７に記憶させる。
一方、チューナー制御部４は、画面交換命令が入力したとき、上記記憶部７から外部チャンネル番号とともに、その時点の上記外部テレビのタイムコードを取得する。ただし、上記外部テレビ制御部５が、上記のタイミングで取得したタイムコードを、記憶部７を介さずに直接チューナー制御部４へ入力するようにしてもよい。
【００３５】
上記のように、画面交換時に対応した外部テレビＢのタイムコードをチューナー制御部４が取得するためには、外部テレビＢがタイムコードを発信する必要がある。外部テレビＢは、携帯端末Ａ側からの要求に応じて、タイムコードを発信するようにしてもよいし、チャンネルが切り替えられとき、上記チャンネル信号と一緒にその時点のタイムコードを発信するようにしてもよい。
また、チャンネル切り替え時に外部テレビＢが発信するタイムコードは、チャンネル切り替え前後のどちらの映像に対応付けられたものでもかまわない。
いずれにしても、携帯端末Ａ側では、画面交換のタイミングにおける外部テレビＢのタイムコードを取得する必要がある。
【００３６】
また、携帯端末Ａの上記チューナー制御部４は、携帯端末Ａのディスプレイ１に表示させるチャンネルを制御する制御信号をテレビチューナー３に出力する機能を備えているが、操作部２から画面交換命令が入力したときには、上記したように外部テレビＢのタイムコードを取得するとともに、画面切り替え後に、上記外部テレビのタイムコードに対応する時点からの映像をディスプレイ１に表示させるための制御信号を出力する。
【００３７】
さらに、この第３実施形態のテレビチューナー３は、上記第２実施形態のテレビチューナーと同様に、チューナー制御部４からの制御信号に応じて、ディスプレイ１に映像を表示させる機能を備えているだけでなく、番組映像を受信しながら、その映像を録画し、その映像データを内部テレビチャンネル映像として上記映像記憶部１０に記憶させる機能も備えている。
さらにまた、特定のチャンネル番号に応じた映像を受信してそれを表示させるだけでなく、実際の放送よりも所定時間だけさかのぼった時点からの映像を表示させる、いわゆるタイムシフト機能も備えている。
【００３８】
上記タイムシフト機能を利用して、画面変換を行なう手順を以下に説明する。
まず、操作部２から画面交換命令が、チューナー制御部４および外部テレビ制御部５に入力されたとき、外部テレビ制御部５は、記憶部７から内部テレビチャンネル番号を取得し、これに基づいた制御信号を、制御信号送信部６を介して外部テレビＢに送信する。これにより、外部テレビＢの画面が切り替わる。
【００３９】
このタイミングで、上記チューナー制御部４は、上記記憶部７から外部テレビ番号と外部テレビＢのタイムコードを取得し、取得したタイムコードを上記映像記憶部１０が記憶している外部テレビチャンネル映像の最新のタイムコードと対比する。上記対比したタイムコードが一致するか、外部テレビＢのタイムコードの方が先行していた場合には、上記記憶部７から取得した外部テレビチャンネル番号に基づいた映像をその時点から表示させるための制御信号を上記テレビチューナー３に出力する。これによりテレビチューナー３は、上記外部テレビチャンネル番号に応じた放送を受信しながらその映像をディスプレイ１に表示する。
上記のように、外部テレビＢのタイムコードが、携帯端末Ａ側のタイムコードと一致あるいは、先行している場合には、外部テレビＢの映像表示は遅れていないので、特に、テレビチューナーのタイムシフト機能は必要ではない。
【００４０】
一方、上記外部テレビＢのタイムコードが、映像記憶部１０が記憶している外部テレビチャンネル映像の最新のタイムコードより遅れていた場合には、そのままチャンネルを切り替えると、上記遅れ分だけディスプレイ１に表示される映像が飛んでしまうことになる。
そこで、テレビチューナー３は、映像記憶部１０が記憶している外部テレビチャンネル映像を、上記外部テレビＢのタイムコードに対応する時点の映像から再生してディスプレイ１に表示させる。このように録画済みの映像を再生している間に、画面切り替え後にディスプレイ１に表示される上記外部テレビチャンネル番号の放送は進んでしまう。そこで、テレビチューナー３は、上記録画映像の再生を行ないながら、上記外部テレビチャンネル番号に対応する放送を受信し、さらに、それを内部テレビチャンネル映像として映像記憶部１０に記憶させる。
【００４１】
そして、上記テレビチューナー３が、上記映像記憶部１０に外部テレビチャンネル映像として記憶させた録画映像を再生し終わったら、それに連続させて上記内部テレビチャンネル映像を再生する。ただし、これら録画映像の再生は実際の放送映像の進行よりも僅かに高速で行ない、再生映像が実際のタイムコードに一致したら、切り替えたチャンネルの通常放送を表示させるようにする。
このようにすることによって、外部テレビＢ側の表示画面が携帯端末Ａ側に対して遅れていた場合にも、外部テレビＢの映像を連続的に表示させながら、画面交換をすることができる。
【００４２】
なお、上記のように外部テレビＢの画面が切り替わったら、外部テレビＢから発信されるチャンネル信号も切り替わるので、記憶部７が記憶する外部テレビチャンネル番号が切り替わり、それに応じてチューナー制御部４が外部チャンネル録画チューナー９に録画させるチャンネルも変更されることになる。ただし、上記外部チャンネルチューナー９が、新たな外部テレビチャンネル番号に応じた録画を開始しても、携帯端末Ａ側で外部テレビチャンネル映像を再生している間は、映像記憶部１０には、チャンネル切り替え前の外部テレビチャンネル映像が保存されているものとする。
【００４３】
上記第３実施形態では外部テレビチャンネル映像と内部テレビチャンネル映像とを、同じ映像記憶部１０に記憶させているが、上記映像は別々の記憶部に記憶させるようにしてもよい。また、上記では、外部テレビ制御部５が、チャンネル信号とともに外部テレビＢのタイムコードを、チャンネル信号受信部８を介して受信するようにしているが、外部テレビＢのタイムコードは、チャンネル信号とは別に受信してもよい。
【符号の説明】
【００４４】
Ａ      携帯端末
１      ディスプレイ
２      操作部
３      テレビチューナー
４      チューナー制御部
５      外部テレビ制御部
６      制御信号送信部
７      記憶部
８      チャンネル信号受信部
９      外部チャンネル録画チューナー
１０    映像記憶部
Ｂ      外部テレビ
【図１】
2010263330.tif 000003
【図２】
2010263330.tif 000004
【図３】
2010263330.tif 000005
【図４】
2010263330.tif 000006